(57)【特許請求の範囲】
【請求項１】
擬餌体（Ａ）と傘状釣針体（Ｂ）から成るイカ釣針本体において該擬餌体にその外周から中心方向に向かい且つ、外周を下に位置せしめると共に中心方向を上に位置し傾斜状溝（ａ１）を多数穿設してその傾斜状溝間に隣状片形状部（ａ２）を構成せしめたことを特徴とするイカ釣針。
【請求項２】
擬餌体（Ａ）と傘状釣針体（Ｂ）から成るイカ釣針本体において該擬餌体にその外周から中心方向に向かい且つ、外周を下に位置せしめると共に中心方向を上に位置して傾斜状溝（ａ１）をバラバラに分散し且つ又多数穿設してその傾斜状溝間に隣状片形状部（ａ２）を構成せしめたことを特徴とするイカ釣針。
【請求項３】
擬餌体（Ａ）と傘状釣針体（Ｂ）から成るイカ釣針本体において該擬餌体にその外周から中心方向に向かい且つ、外周を上に位置せしめると共に中心方向を下に位置し傾斜状溝（ａ１）を多数穿設してその傾斜状溝間に隣状片形状部（ａ２）を構成せしめたことを特徴とするイカ釣針。
【請求項４】
擬餌体（Ａ）と傘状釣針体（Ｂ）から成るイカ釣針本体において該擬餌体にその外周から中心方向において、該擬餌体にその外周から中心方向に向かい且つ外周を上に位置せしめると共に中心方向を下に位置し傾斜状溝（ａ１）をバラバラに分散し且つ又多数穿設してその傾斜状溝間に隣状片形状部（ａ２）を構成せしめたことを特徴とするイカ釣針。
【発明の詳細な説明】
【０００１】
【発明の属する技術分野】
本発明はイカ釣針に関する。
【０００２】
【従来の技術】
旧来のイカ釣針における擬餌体では、イカの収穫高を上げるため種々の工夫をされているが特に擬餌体を変形させて集魚灯の光、又は夜光虫の発光等を利用しやすく収穫を高めようとする技術は、まず昭和２４年実用新案出願公告第３３号、昭和２５年実用新案出願公告第４８９６号、昭和２６年実用新案出願公告第８８８５号並びに昭和３９年実用新案出願公告第３１７６９号広報等（以下第一先行技術群と略称する）がある。その代表的な構成は擬餌体の中央付近両面に斜め凹溝を設けたものである。
【０００３】
次に旧来技術として昭和５９年実用新案出願公告第１０５８６４号公報等（以下第二先行技術と略称する）がある。この構成は擬餌体の外周面に凹溝を上下多段設けたものである。
【０００４】
加えて旧来技術として昭和６０年実用新案出願公告第２６６２５号公報（以下第三先行技術と略称する）がある。その構成の要旨は擬餌体に一側面より他側面に光が透過する透孔を開穿したものである。
【０００５】
変ってイカ釣針ではないが通称ルァーと言われる擬餌にウロコ模様を表面に利用した技術がある。それは昭和５９年実用新案出願公開第３４５７２号と平成２年特許出願公告第１２５３８号公報（以下第四先行技術群と略称する）で表面と他の部材を用いて隣状にした技術である。
【０００６】
更に加えて擬餌体の外面を加工して、例えばダイヤカットしてイカを誘い寄せる技術を示すものとして、昭和５２年実用新案出願公告第８７４号公報（以下第五先行技術と略称する）がある。
【０００７】
【発明が解決しようとする課題】
ところで第一先行技術群は構成において擬餌体の中央付近の両面に単に斜めの凹溝を設けたものであるが、その効果は斜め凹溝のためイカ釣りの際、擬餌体の上下の移動に対し急速に海水が流動するため、その時生じる海水中の夜行虫の発光を利用して全体を餌に錯認させるためイカのこれに飛び付く率、即ち釣魚率を良好せしめてと記載はされているが夜光虫がいなくては、まったくイカの収穫は得られず、仮に夜光虫がいても海水の流れを利用するのみでイカが好む小魚（例えば鰯）観がまったく無く釣魚率が高いとはいえない課題（以下主課題と略称する）がある。又海水が擬餌体に入ることもなく、強い抵抗力が生じるものでイカ釣針として海中で小魚のように動き舞い上がりなく生き生きとした感じも出ない課題（以下縦課題と略称する）もある。
【０００８】
次に第二先行技術は構成を擬餌体の外周面に凹溝を上下多段式に多数設けたものであるが、これも小魚観がまったくなく、やはりイカが好む餌とはなり得ず高収穫が得られない主課題がある。又凹溝も水平に設けられたものであるから、凹溝には海水が流れずらく小魚のような舞にも難点がある縦課題もあるものである。
【０００９】
加えて第三先行技術は構成を擬餌体の一側面より他側面に光が通過するように透孔を開穿したもので、光が見えるのみで小魚観がなく従って主課題が当然のように存在し、しかも透孔は水平方向に穿設しているのもであるから海水が溝に流れず、動きにおいても小魚観がなくこれまた縦課題を有するものである。
【００１０】
更に第四先行技術群であるが、ルァーであってイカ釣針でなくしかも擬餌体に切り込み方式による餌観を出す技術でなくウロコ観を出さんとするものであても表面印刷状の隣摸様の技術で光の反射によって隣観を呈するものでなく、これまた小魚観のない主課題のあるものとなる。加えてこの技術をイカ釣針に応用しても海水が入る余地なく抵抗があて縦課題もあるものである。
【００１１】
且つ第五先行技術であるが擬餌体の外面状ダイヤカットしたものに過ぎずイカが好む小魚観がまったく無く釣魚率が高いとは言えない主課題がある。
更に海水が擬餌体に入る構造ではなく強い抵抗力が生じるものでイカ釣針として海中で小魚のように動き舞い上がりなく生き生きとした感じも出ないと言う従課題もあるものである。
【００１２】
上記課題を解決するための手段として、本発明が講じた技術手段としてまず主課題の解決のため請求項１の発明即ちイカに対し擬餌体に小魚観っを与えるため擬餌体と傘状釣針体から成るイカ釣針本体において、該擬餌体にその外周から中心方向に向かい且、外周を下に位置せしめると共に中心方向を上に位置し、傾斜状溝を多数穿設してその傾斜状溝間に隣状片形状部を構成せしめて小魚観が呈するようにし、今までにないイカの収獲量を得ることになり、従って主課題を解決したものである。
【００１３】
更に確実なものとするため請求項２の発明によって示す通り擬餌体と傘状釣針体から成るイカ釣針本体において該擬餌体にその外周から中心方向に向いかつ、外周を下に位置せしめると共に中心方向を上に位置して傾斜状溝をバラバラに分散し且、また多数穿設してその傾斜状溝間に、隣状片形状部を構成せしめたから集魚灯からの光を完全な形で隣観を呈するように反射し、まさしく小魚観となり主課題を解決している。傾斜状溝によっては上下動する釣りかたによって海水が通過したり当ったりしてイカ釣針全体が舞い状態となって、まさしく生きた魚観が生じ縦主課題も解決したものである。
【００１４】
加えて別な問題解決策としては、請求項３がそれである。その発明は擬餌体と傘状釣針体から成るイカ釣針本体において該擬餌体にその外周から中心方向に向かい且、外周を上に位置せしめると共に中心方向を下に位置し傾斜状溝（ａ１）を多数穿孔して、その傾斜状溝間に隣状片形状部（ａ２）を構成したものである。これによって主課題も縦課題も解決した。
【００１５】
更に加えて請求項４の発明によっても主課題並びに縦課題も解決した。即ちその構成を示せば擬餌体を傘状釣針体から成るイカ釣針本体において該擬餌体にその外周から中心方向に向かい且、外周を上に位置させしめると共に中心方向を下に位置せしめて傾斜状溝をバラバラに分解せしめ且、又多数穿設してその傾斜状溝間に隣状片形状部を構成せしめた。この手段によっても主課題及び縦課題を解決しているものである。
【００１６】
【発明の実施の形態】
本発明の実施の形態を図面と共に説明する。まず請求項１の発明の一実例として、図１乃至４があげられる。
その発明の要旨である擬餌体（Ａ）は、その外周から中心方向に向い且、外周を下に位置せしめると共に中心方向を上に位置し傾斜状溝（ａ１）を多数穿設して隣状片形状部（ａ２）を構成するものである。この擬餌体（Ａ）を用いての（図１乃至４）イカ釣針は擬餌体（Ａ）の中心部に通孔（２）とその下部に挿通孔（１）を貫通開穿し、該挿通孔に弾性体（３）を添着すると共にその弾性体の下部にイカ抱付折曲防止付支承筒本体（Ｃ）の上部を嵌挿し且、通孔（２）と挿入孔（１）並びに弾性体（３）の各中心部を介して連結杆（４）を挿通せしめ、その連結杆の係止鉤（１１）に上部止環（１０）を係止すると共に連結杆（４）の連結棒連結部（１２）には傘状釣針体（Ｂ）の連結杆引掛鉤部（１３）を折曲自在に連結してイカ釣針本体を構成するイカ釣針の実施例である。
【００１７】
次に請求項１の発明の第二の実施例としては図５乃至８に示すもので、図面に従って説明すれば擬餌体（Ａ）の中心部に通孔（２）とその下部に挿通孔（１）開穿し、該挿通孔内に弾性体（３）を添着すると共にイカ抱付折曲防止用支承筒本体（Ｆ）の上部を嵌挿し且、通孔（２）と挿通孔（１）並びに弾性体（３）の各中心部を介して連結杆（４）を挿通せしめ、その連結杆の係止鉤（１１）に上部止環（１０）を係止すると共にその連結杆（４）の連結棒連結部（１２）に傘状釣針体（Ｂ）の連結杆引掛鉤部（１３）を折曲自在に連結し且、イカ抱付折曲防止用支承筒本体（Ｆ）の下部に折曲受部（イ）を設け該折曲受部を傘状釣針体（Ｂ）の上端の折曲受入部（ロ）に嵌合して抱付き折曲防止装置としたイカ釣針の実施例を示すものである。
【００１８】
また図９乃至１０の実施例は請求項１の発明の第二の実施例における上段の傘針（７）と下段傘針（７）の中間に補助座金（９’）を用いたイカ釣針の実施例を示すものである。
【００１９】
図１１乃至１２は本発明の他の実施例を示すもので請求項１乃至４の発明における擬餌体（Ａ）において設けた傾斜状溝（ａ１）の上下間に補強柱（ａ３）を示すイカ釣針の実施例である。
【００２０】
且、図１３乃至１４の実施例は請求項２の発明の一実施例を示すもので擬餌体（Ａ）の外周から中心方向に向かい且、外周を下に位置せしめると共に中心方向を上に位置して傾斜状溝（ａ１）をバラバラに分散し且、また多数穿設してその傾斜状溝間に隣状片形状部（ａ２）を設けたイカ釣針の実施例である。
【００２１】
且、また図１５乃至１６に示す実施例は請求項３の発明の一実施例を示すもので発明の要旨である擬餌体（Ａ）にその外周から中心方向に向かい且、外周を上に位置せしめると共に中心方向を下に位置し傾斜状溝（ａ１）を多数穿設してその傾斜状溝間に隣状片形状部（ａ２）を設けて成るイカ釣針の実施例である。
【００２２】
図１７は一般的なイカ釣針に本発明請求項１の実施を示す実施例である。まず具体的に説明すれば、連結棒（５）を巻装した芯かん（６）に傘針（７）を固定リング（８）を介して装着し且、連結棒（５）の上端に連結杆（４）を屈折自在に係合連結せしめ、下部には下部止環受部  （１４）を介して下部止環（１５）を止着し且、また傘針（７）の上端より突出する連結棒（５）から該連結棒に連結した連結杆（４）に亘って受け座（２０）を介して屈折自在なチューブ（１９）を嵌合被嵌しそのチューブに該チューブよりも硬い帽子状のキャップ（１８）を被冠すると共に、該キャップ擬餌体の下端より下方に突出す長さとし、更にキャップより連結杆（４）に弾性体（３）を被嵌しその連結杆を擬餌体（Ａ）の挿通孔（１）に前記弾性体を弾圧して挿通し擬餌体（Ａ）の上端より突出した連結杆（４）係止鉤（１１）に上部止環を掛着したイカ釣針である。
【００２３】
加えて傾斜状溝（ａ１）の角度は理想として直線的に切り込んでも型から成形してもよい。その溝巾も１〜２ｍｍ程度とし且、また傾斜状溝（ａ１）は擬餌体（Ａ）に切り込んであるが、これは途中までの切り込みでもよく又傾斜状溝（ａ１）は挿通孔（１）まで切り込んでもよく溝の巾も擬餌体（Ａ）の外周近くを厚く挿通孔（１）の近くではうすく断面三角状のプリズム形状にしてもよいものである。イカ抱付折曲防止付支承筒本体（Ｃ）は上部抱付折曲防止付支承筒（ｃ１）と下部抱付折曲防止付支承筒（ｃ２）とからなり且、前記上部抱付折曲防止付支承筒の下部に受部（ｄ１）を設けると共に下部抱付折曲防止付支承筒（ｃ２）には、その受部に対応した受入部（ｄ２）を設けるとともに受部（ｄ１）と受入部（ｄ２）とを嵌合して抱付折曲防止装置（Ｄ）とするも必ずしも、抱付折曲防止装置を利用せず棒状物をくり抜き、イカ抱付折曲防止付支承筒本体（Ｃ）と同様単純な支承筒本体であってもよい。イカ抱付折曲防止用支承筒本体（Ｆ）は下部に折曲受部（イ）を設ける。傘状釣針体（Ｂ）の上端で固定リング（８）の頂部とその固定リングから露出している傘針（７）との部分間に折曲受入部（ロ）を形成せしめ該折曲受入部ロと折曲受部（イ）とは嵌着自在にして構成するものである。
【００２４】
次に材料等について詳細に説明すれば、擬餌体（Ａ）の材料は熱可塑性プラスチィックでも熱硬化性樹脂のいずれでもよく又その他材料について限定するものでない、しかも透明材又は半透明材を主体とするが不透明材でも薄くすることによって透明性が出ればそれでもよい。且、厚み長さなども自由に選択し得るもので、小型中型並びに大型のイカ釣針に利用しているものである。且、又中空弾性体から成る薄い幕状態の擬餌体でもよいものである。
【００２５】
又イカ抱付折曲防止付支承筒本体（Ｃ）について図１乃至４に示すものは、上部抱付折曲防止付支承筒（ｃ１）下部抱付折曲防止付支承筒（ｃ２）から構成し、その材質は熱可塑性プラスチック又は熱硬化性塑性プラスチック又は熱軟化性樹脂の硬質体を主に用いるが金属製その他の材料であってもよく且、また上部抱付折曲防止付支承筒（ｃ１）の受部（ｄ１）を雌型としたときは下部抱付折曲防止付支承筒（ｃ２）の受入部（ｄ２）は雄型突起としてこの両者で抱き付き折曲防止装置とする。且、この逆に上部抱付折曲防止付支承筒（ｃ１）の受部（ｄ１）を雄型突起としてもよく、その場合には下部抱付折曲防止付受承筒（ｃ２）の受入部（ｄ２）は雌型としてその受体（ｄ１）と受入部（ｄ２）の嵌合により上部抱付折曲防止付支承筒（ｃ１）と下部抱付折曲防止付受承筒（ｃ２）でイカ抱付折曲防止付支承筒本体（Ｃ）を構成する。
【００２６】
更に図５乃至１６  に示すイカ抱付折曲防止用支承筒本体（Ｆ）を構成する上部折曲防止用支承筒（ｆ１）と下部折曲防止用支承筒（ｆ２）の材質は一方を金属製として、他方を熱可塑性プラスチック又は熱硬化性樹脂の硬質のものとすることでもよく双方とも金属製とするか熱可塑性プラスチック又は熱硬化性樹脂の硬質のものとして用いてもよい。又このイカ抱付折曲防止用支承筒本体（Ｆ）は上部折曲防止用支承筒（ｆ１）と下部折曲防止用支承筒（ｆ２）で構成するが、この接合は上部折曲防止用支承筒（ｆ１）の下部を雄型嵌入部（ｅ１）とし、下部折曲防止用支承筒（ｆ２）上部を雌型嵌入部（ｅ２）として、この雄型嵌入部（ｅ１）と雌型嵌入部（ｅ２）とを係合して継続装置を構成すると共に、その下部折曲防止用支承筒（ｆ２）の下部には受部（イ）を設けるものである。これら雄型嵌入部（ｅ１）と雌型嵌入部（ｅ２）の位置は上記の逆の関係として用いることもできるし、接続装置（Ｅ）を用いることなく一本棒状体として最下部に受部（イ）を設けてもよい。
【００２７】
連結杆（４）の形成は針金（Ｕ）字状に折曲し下部に連結棒連結部（１２）を形成すると共に上端しには両端を内側に丸く曲げ鉤状に折りかえて係止鉤（１１）を形成する。
【００２８】
傘状釣針体（Ｂ）の構成の一つは、連結棒（５）に芯杆（６）を固定して上部に連結杆引掛鉤部（１３）を設け、下部には下部止環受部（１４）を作り、この下部止環受部に座金（９）を介して下部止環（１５）を係合する。それら傘状釣針体（Ｂ）の外周には一段二段若しくは三段方式に傘針（７）を座金（９）を介して串挿する。その傘針は適宜数の針体を置き並べて固定リンク（８）で締付け形成する。又必要によっては更に固定リンク（８）の外側に着色用カバー補助体を覆被してもよい。重ねて傘針（７）を三段方式にする場合は、その外側に第二着色用カバー補助帯を用いることもある。
【００２９】
弾性体（３）についても合成樹脂製筒体、ゴム筒体、弾撥發条を用い常にイカ抱付折曲防止付支承筒本体（Ｃ）やイカ抱付折曲防止用付支承筒本体（Ｆ）を下方に押し下げるように作用させる。
【００３０】
場合によっては、二段目傘針（７）の中間に座金（９’）を用いたり傘針（７）の上面に補強用の補強（１７）を添着してもよい。
【００３１】
次に本発明である請求項１−４の発明の要旨は擬餌体にその外周から中心方向に向かい且、外周を下に位置せしめると共に中心方向を上に位置し傾斜状溝を多数穿付支承筒設して隣状片形状部を構成せしめたことを特徴とするイカ釣針であるが、その作用を図１８を中心に説明するに機械釣りのイカ釣りは１０数本から数十本のイカ釣針を鈴なりのように釣り糸を介して接続し、これを海中に投入し菱形のドラムによって上下動しながら捲上げてイカを釣るものである。その時舟からは別に集魚灯を用い海中を照らし光によって海中が明るくなるため夜光性であるイカは餌を追いやすくなり収穫を高めることができるものである。又この時本発明のイカ釣針は図１８に示すようにまずＧ方向の光が直線光として擬餌体に当たるがその時傾斜状溝と隣状片形状部の厚み並びに斜面とによって乱反射すると共にその光の強弱も生じ重ねてイカ釣針は捲上げドラムによって上下動するため複雑な光となり加えて反射光がしかも海中で再乱反射した光となって再入射したり更に集魚灯から擬餌体に直接ではなく離れて入った光も海水の粒子等によって反射光即ち（Ｉ）方向光と（Ｈ）方向の光となり擬餌体にも当たり当然のことのように反射光も複雑性を増巾し、自然の生きた魚の隣からの反射光に近い作用をするものである。
【００３２】
重ねて、詳しくは擬餌体（Ａ）は主として透明材料又は半透明材料とするが、不透明材料であってもよい。不透明体であっても本発明擬餌体（Ａ）は外面に傾斜状溝（ａ１）を設けてあるので形状的に薄い部分が生じ、必ずしも透明材料又は半透明材料にこだわるものではないが、しかし透明材料又は半透明材料の方がよりよい作用がいられるのでこれを中心に光の作用を説明すれば魚船上の集魚灯から直線に近いかたちで海中に入射した光（Ｇ）は一つは来た道を反射光として帰るが、他方は擬餌体が通常湾曲しているため擬餌体（Ａ）に侵入するものと反射する光とに分けられる。又その侵入した光は屈折して傾斜状溝（ａ１）の上面で反射してゆき他は更に屈折侵入を繰りかえして反射する。一方隣状片形状部（ａ２）はプリズム形状となっているため分光作用が生じ光彩の付いた反射光も生じこれらが混然と重なり魚の隣に近い光の反射作用をするものであり且、また擬餌体（Ａ）の横から当たる光についても上記の作用が生じますます自然の魚の隣に近い感じの反射光が生じるものである。
【００３３】
【発明の効果】
本発明のイカ釣針中まず請求項１の発明についての効果を説明するに擬餌体と傘状釣針体から成るイカ釣針本体において、該擬餌体にその外周から中心方向に向かい且、外周を下に位置せしめると共に中心方向を上に位置し傾斜状溝を多数穿設して、その傾斜状溝間に隣状片形状部を構成せしめたことを特徴とするものであるから傾斜状溝と隣状片形状部とによって集魚灯からの光に対しイカに旧来のイカ釣針の反射光では得られなかった自然の生きた魚の隣と同等の反射光を与えてイカの収獲を高める効果を有するもので主課題を解決した効果が得られ、しかも傾斜状溝に海水が入り抵抗感のない実益大な効果が重ねて得られる縦課題も解決しているイカ釣針である。
【００３４】
次に請求項２の発明について説明すれば、請求項２の発明は擬餌体と傘状釣針体から成るイカ釣針本体において、該擬餌体にその外周から中心方向から向い且、外周を下に位置せしめると共に中心方向を上に位置せしめると共に中心方向を上に位置して傾斜状溝をバラバラに分散し且、また多数穿設してその傾斜状溝間に隣状片形状部を構成せしめたことを特徴とする発明で請求項１の発明をより動きを良くするイカ釣針となる効果が得られる発明で請求項１の発明と同様に主課題並びに縦課題も解決しているイカ釣針の発明である。
【００３５】
加えて請求項３の発明の効果を説明すれば擬餌体と傘状釣針体からイカ釣針において該擬餌体にその外周から中心方向に向い且、外周を上に位置せしめると共に中心方向を下に位置にし傾斜状溝を多数穿設してその傾斜状溝間に隣状片形状部を構成したことを特徴とする発明であるから、請求項１と請求項２の発明は海水中を上下動する時、下る時によく踊るのであるがこの発明は上る時による踊るイカ釣針となる点を異にして請求項１を同様な効果が得られるイカ釣針の発明である。
【００３６】
更に請求項４の発明の効果は構成を擬餌体を傘状釣針から成るイカ釣針本体において該擬餌体にその外周から中心方向に向い且、外周を上に位置せしめると共に中心方向を下に位置し傾斜状溝をバラバラに分散せしめ且、又多数穿設してその傾斜状溝間に隣状片形状部を構成せしめたことを特徴とするイカ釣針であるので海水中にあっては請求項３の発明と同様に下る時によく踊り乱舞するその他の点については請求項２の発明イカ釣針と同等の効果が得られるイカ釣針の発明である。
【００３７】
なお、請求項１乃至４の発明における擬餌体に穿設した傾斜状溝の上下間に補強柱を設けることによって擬餌体に多数の傾斜状溝と隣状変形上部とを穿設しても充実した擬餌体と強度において弱点とならないイカ釣針が得られる。
しかもその補強柱は釣糸が絡み合ったとき釣糸の傾斜状溝内に食い込みを防止し得る等効果もある。
【図面の簡単な説明】
【図１】本発明に関する請求項１の発明に係るイカ釣針の実施例を示す正面図。
【図２】図１の縦断正面図。
【図３】図１乃至２並びに図４の分解縦断面図。
【図４】図１に示すイカ釣針の実施の形態でガイドローラに接する状態を示す縦断正面図。
【図５】本発明に関する請求項１の発明に係るイカ釣針の発明に係るイカ釣針の他の実施例を示す正面図。
【図６】図５の縦断正面図。
【図７】図５乃至６並びに図８の分解縦断面図。
【図８】図５に示すイカ釣針の実施の形態でガイドローラーに接する状態を示す縦断正面図。
【図９】本発明に関する請求項１の発明に係るイカ釣針の第三の実施例で、擬餌体の表面内側又は表面近くに線状、球状、花火状、等の微細な気泡によってヒビ割れ感摸様を設けた状態を示す正面図。
【図１０】図９の分解縦断面図。
【図１１】本発明に関する請求項５に係るイカ釣針の正面図。
【図１２】図１１の分解縦断面図。
【図１３】本発明に関する請求項２の発明に係るイカ釣針の実施例を示す正面図。
【図１４】図１３の分解縦断面図。
【図１５】本発明に関する請求項３の発明に係る例を示す正面図。
【図１６】図１５の分解縦断面図。
【図１７】本発明に関する請求項１の発明に係るイカ釣針の実施例で、特に公知のイカ釣針に実施した状態を示す縦断正面図。
【図１８】本発明の実施に際して船上の集魚灯からの光又は太陽の光が擬餌体に入射したり反射したりする状態を示せんとする概略図。
【符号の説明】
Ａ：  擬餌体
ａ１：  傾斜状溝
ａ２：  隣状片形状部
ａ３：  補強柱
Ｂ：  傘状釣針本体
Ｃ：  イカ抱付折曲防止付支承筒本体
Ｃ１：  上部抱付折曲防止付支承筒
Ｃ２：  下部
Ｄ：  抱付折曲防止装置
ｄ１：  受部
ｄ２：  受入部
Ｅ：  継続装置
ｅ１：  雄型嵌入部
ｅ２：  雌型嵌入部
Ｆ：  イカ抱付折曲防止用支承筒本体
ｆ１：  上部折曲防止用支承筒
ｆ２：  下部折曲防止用支承筒
Ｇ：  垂直系光
Ｈ：  左側光系
Ｉ：  右側光系
イ：  折曲受部
ロ：  折曲受入部
１：  挿通孔
２：  通孔
３：  弾性体
４：  連結杆
５：  連結棒
６：  芯杆
７：  傘針
８：  固定リング
９：  座金
９’：  補助座金
１０：  上部止環
１１：  係止鉤
１２：  連結棒連結部
１３：  連結杆引掛鉤部
１４：  下部止環受部
１５：  下部止環
１６：  ガイドローラー
１７：  補強リング
１８：  キャップ
１９：  チューブ
２０：  受け座
【図１】
0003797580.tif 000002
【図２】
0003797580.tif 000003
【図３】
0003797580.tif 000004
【図４】
0003797580.tif 000005
【図５】
0003797580.tif 000006
【図６】
0003797580.tif 000007
【図７】
0003797580.tif 000008
【図８】
0003797580.tif 000009
【図９】
0003797580.tif 000010
【図１０】
0003797580.tif 000011
【図１１】
0003797580.tif 000012
【図１２】
0003797580.tif 000013
【図１３】
0003797580.tif 000014
【図１４】
0003797580.tif 000015
【図１５】
0003797580.tif 000016
【図１６】
0003797580.tif 000017
【図１７】
0003797580.tif 000018
【図１８】
0003797580.tif 000019